(57)【要約】【課題】詰まった被記録体を画像形成装置から取り除く際に、ユーザの手や衣服が定着前の画像に接触し、画像中のトナーで手や衣服が汚れてしまうことを防ぐことができる画像形成装置を提供する。【解決手段】画像形成装置１は、画像形成部１３と、定着部１６と、第２搬送部１８と、タッチパネル４ｂとを備える。画像形成部１３は、画像データに基づいて用紙に画像を形成する。定着部１６は、画像を用紙に定着させる。第２搬送部１８は、画像形成部１３から定着部１６に向けて延びる第２搬送路１８ａにおいて、画像が形成された用紙を定着部１６に搬送する。タッチパネル４ｂは、第２搬送路１８ａ上において用紙にジャムが発生した場合、ジャムの発生を示す第１情報と共に被記録体に関する第２情報を表示する。【選択図】図４
2009109632.tif 000002
【特許請求の範囲】
【請求項１】
画像データに基づいて被記録体に画像を形成する画像形成部と、
前記画像を前記被記録体に定着させる定着部と、
前記画像形成部から前記定着部に向けて延びる用紙搬送路において、前記画像が形成された前記被記録体を前記定着部に搬送する用紙搬送部と、
前記用紙搬送路上の前記被記録体においてジャムが発生した場合、前記ジャムの発生を示す第１情報と共に前記被記録体に関する第２情報を報知する報知部と、
を備える、画像形成装置。
【請求項２】
前記第２情報には、前記被記録体上の印字領域及び印字量のうち少なくとも１つが含まれている、
請求項１に記載の画像形成装置。
【請求項３】
前記第２情報には、前記被記録体の前記画像におけるトナーが前記被記録体を前記画像形成装置から取り除くユーザに付着する可能性を示す第３情報が更に含まれている、
請求項２に記載の画像形成装置。
【請求項４】
前記第３情報は、前記被記録体上の印字領域に基づいて決定されている、
請求項３に記載の画像形成装置。
【請求項５】
前記第２情報には、前記被記録体を前記画像形成装置から取り除く際の処理手段を示す第４情報が更に含まれている、
請求項２または３に記載の画像形成装置。
【請求項６】
前記第４情報は、前記被記録体上の印字領域に基づいて決定されている、
請求項５に記載の画像形成装置。
【発明の詳細な説明】
【技術分野】
【０００１】
本発明は、画像形成装置に関する。
【背景技術】
【０００２】
複写機やプリンタ等の画像形成装置は、画像形成部及び定着部等の各種機器を備えている。画像形成装置が印刷動作を行う場合、先ずは画像形成部により用紙等の被記録体に画像が形成され、次いで定着部により画像の定着が行われる。そして、画像定着後の用紙は、画像形成装置の外部に排出される。
【０００３】
ところで、上述したような印刷動作が行われる際、画像形成部や定着部等に搬送される途中の被記録体が詰まってしまう、いわゆるジャムが生じる場合がある。特に、画像形成部から定着部に被記録体が搬送される途中でジャムが生じた場合、この被記録体上の画像は未だ定着されていないため、画像中のトナーは剥がれやすい状態となっている。すると、詰まった被記録体を画像形成装置から取り除く作業をユーザが行った場合、ユーザの手や衣服等が画像に接触することで、画像中のトナーがユーザの接触箇所等に付着してしまう恐れがある。
【０００４】
そこで、例えば特許文献１に開示されているように、画像が未だ定着されていない被記録体においてジャムが生じた場合、その旨を示す情報をユーザに知らせる画像形成装置が知られている。
【特許文献１】特開平８−１６６７４６号公報
【発明の開示】
【発明が解決しようとする課題】
【０００５】
ところで、被記録体には、その時々の印刷動作に応じて異なる画像が異なる位置に形成される。画像形成部から定着部に搬送される途中でジャムが生じた場合に、画像中のトナーがユーザの手や衣服等に付着する可能性は、被記録体に形成される画像の位置や大きさ等の影響により、常に一定であるとは限らない。これに対し、特許文献１では、ユーザは、画像が未定着の状態にある被記録体においてジャムが生じた旨の情報しか取得することができないため、詰まった被記録体を画像形成装置から取り除く作業時、ユーザの手や衣服等にトナーが付着することを防ぐことは困難である。
【０００６】
そこで、本発明は、詰まった被記録体を画像形成装置から取り除く際に、ユーザの手や衣服が定着前の画像に接触し、画像中のトナーで手や衣服が汚れてしまうことを防ぐことができる画像形成装置の提供を目的とする。
【課題を解決するための手段】
【０００７】
発明１に係る画像形成装置は、画像形成部と、定着部と、用紙搬送部と、報知部とを備える。画像形成部は、画像データに基づいて被記録体に画像を形成する。定着部は、画像を被記録体に定着させる。用紙搬送部は、画像形成部から定着部に向けて延びる用紙搬送路において、画像が形成された被記録体を定着部に搬送する。報知部は、用紙搬送路上の被記録体においてジャムが発生した場合、ジャムの発生を示す第１情報と共に被記録体に関する第２情報を報知する。
【０００８】
被記録体に関する第２情報としては、例えば被記録体上の印字領域（即ち、被記録体上に画像が形成されている領域）や、被記録体上の画像のトナーがユーザの手や衣服等に付着する可能性等が挙げられる。この画像形成装置によると、画像が定着される前の被記録体においてジャムが発生した場合、ジャムが生じたことを示す第１情報と共に、被記録体に関する第２情報が報知される。これにより、ユーザは、例えば被記録体上の印字領域等の第２情報に基づいて接触すべき被記録体の位置を判断し、詰まった被記録体を画像形成装置から取り除くことができる。従って、詰まった被記録体を画像形成装置から取り除く際に、ユーザの手や衣服が定着前の画像に接触し、画像中のトナーで手や衣服が汚れてしまうことを防ぐことができる。
【０００９】
発明２に係る画像形成装置は、発明１に係る画像形成装置であって、第２情報には、被記録体上の印字領域及び印字量のうち少なくとも１つが含まれている。
【００１０】
被記録体上の印刷領域や印字量は、個々の被記録体によって異なっている。そこで、この画像形成装置は、定着前の被記録体においてジャムが発生した場合、第２情報として被記録体上の印字領域や印字量を報知する。これにより、ユーザは、被記録体を画像形成装置から取り除く際に、被記録体のどのあたりに接触すると手や衣服が汚れてしまうかを、具体的に判断することができる。
【００１１】
発明３に係る画像形成装置は、発明２に係る画像形成装置であって、第２情報には、第３情報が更に含まれている。第３情報は、被記録体の画像におけるトナーが、被記録体を画像形成装置から取り除くユーザに付着する可能性を示す情報である。
【００１２】
この画像形成装置によると、ユーザは、第３情報に基づいて、被記録体を画像形成装置から取り除く作業時にユーザの手や衣服等がトナーで汚れてしまう可能性がある旨を知ることができる。従って、ユーザは、被記録体を画像形成装置から取り除く際、注意して作業を行うことができる。
【００１３】
発明４に係る画像形成装置は、発明３に係る画像形成装置であって、第３情報は、被記録体上の印字領域に基づいて決定されている。
【００１４】
この画像形成装置によると、被記録体の印字領域に応じて、第３情報、即ち被記録体を画像形成装置から取り除く作業の際にトナーがユーザに付着する可能性が変化する。従って、ユーザは、被記録体を画像形成装置から取り除く際、報知された第２情報中の第３情報に基づいて、より注意して作業を行うことができる。
【００１５】
発明５に係る画像形成装置は、発明２または３に係る画像形成装置であって、第２情報には、第４情報が更に含まれている。第４情報は、被記録体を画像形成装置から取り除く際の処理手段を示す情報である。
【００１６】
第４情報としては、例えば「ピンセット等を用いて被記録体を取り除く」等の、被記録体を画像形成装置から取り除く際の具体的な手段が挙げられる。これにより、画像形成装置のユーザは、報知された第４情報にしたがって被記録体を画像形成装置から取り除く作業を行うことができ、ユーザの手や衣服等にトナーが付着することを防ぐことができる。
【００１７】
発明６に係る画像形成装置は、発明５に係る画像形成装置であって、第４情報は、被記録体上の印字領域に基づいて決定されている。
【００１８】
この画像形成装置によると、被記録体の印字領域に応じて、第４情報、即ち被記録体を画像形成装置から取り除く際の処理手段が変化する。従って、ユーザは、報知された第２情報中の第４情報にしたがって被記録体を画像形成装置から取り除くことで、手や衣服等にトナーが付着することをより防ぐことができる。
【発明の効果】
【００１９】
本発明によると、詰まった被記録体を画像形成装置から取り除く際に、ユーザの手や衣服が定着前の画像に接触し、画像中のトナーで手や衣服が汚れてしまうことを防ぐことができる。
【発明を実施するための最良の形態】
【００２０】
以下、本実施形態に係る画像形成装置について、図面を用いて説明する。
【００２１】
（１）構成
図１は、本実施形態に係る画像形成装置１の概略断面図である。画像形成装置１は、複写機、プリンタ、ファクシミリ及びスキャナとしての機能を併せ持つ複合機の機種であって、図１及び図３に示すように、原稿カバー３、操作パネル４、本体部５及び排紙トレイ７を含む。
【００２２】
本体部５の原稿カバー３と対向する部分には、図１に示すように、原稿載置台２が設けられている。原稿カバー３は、原稿載置台２に載置された原稿を押さえるためのものであって、原稿載置台２に対し開閉自在に本体部５に装着されている。
【００２３】
操作パネル４は、本体部５において原稿載置台２の手前側部分に設けられ、図２に示すように、操作キー４ａ及びタッチパネル４ｂ（報知部に相当）を有している。操作キー４ａは、印刷等の画像形成の開始を指示するためのスタートキーや、実行中の画像形成の停止を指示するためのストップキー、各種設定のための設定キー及びテンキー等を有している。タッチパネル４ｂは、例えば液晶ディスプレイやマトリクススイッチ等で構成されており、各種画面をカラー表示する。タッチパネル４ｂが表示する画面としては、例えば画像形成装置１が有する各機能の設定を行うための各種設定画面や、画像形成装置１が印刷動作を行っている時にジャムが生じた場合、これをユーザに知らせるための画面などが挙げられる。尚、ジャムが生じた場合にタッチパネル４ｂに表示される画面については、後述する。
【００２４】
本体部５は、図１及び図３に示すように、給紙カセット６、通信部１１、原稿読み取り部１２、画像形成部１３、定着部１６、第１搬送部１７、第２搬送部１８（用紙搬送部に相当）、第３搬送部１９、紙詰まり検知部Ｋ１〜Ｋ４、排出部２０及び制御部２１を含む。
【００２５】
給紙カセット６は、画像形成部１３の下部に３段配置されている。各給紙カセット６の内部には、Ａ４やＢ５等の様々なサイズの用紙が複数枚収容されている。
【００２６】
通信部１１は、通信ネットワークを介して接続された外部装置と通信を行うものであって、外部装置から画像データ等を取得することができる。ここで、外部装置としては、例えばＰＣ等が挙げられる。原稿読み取り部１２は、原稿載置台２に載置された原稿を読み取って画像データを取得するためのものであって、図示しない光学系を有している。
【００２７】
画像形成部１３は、通信部１１または原稿読み取り部１２が取得した画像データに基づいて用紙に画像を形成するためのものであって、主として、感光体ドラム１４及び転写ローラ１５を含む。感光体ドラム１４の周囲には、露光器、帯電器、現像装置及びクリーニングローラが設けられており、感光体ドラム１４の表面には、画像データに基づくトナー像が形成される。転写ローラ１５は、第１搬送部１７により給紙カセット６から送られてきた用紙を挟んで感光体ドラム１４と対向する位置に設けられており、感光体ドラム１４上のトナー像を用紙に転写する。
【００２８】
定着部１６は、画像形成部１３により用紙に形成された画像を、用紙に定着させる。定着部１６は、主として、内部にヒータを有する加熱ローラや、加熱ローラに押圧される加圧ローラ等で構成されている。
【００２９】
第１搬送部１７は、給紙カセット６から画像形成部１３の感光体ドラム１４及び転写ローラ１５に向けて延びている第１搬送路１７ａにおいて、給紙カセット６内の用紙を画像形成部１３に搬送する。即ち、第１搬送部１７は、画像が形成されていない状態の用紙の搬送を行う。第２搬送部１８は、画像形成部１３から定着部１６に向けて延びている第２搬送路１８ａ（用紙搬送路に相当）において、画像形成部１３により画像が形成された後の用紙を定着部１６に搬送する。即ち、第２搬送部１８は、画像形成部１３により画像が形成されてはいるが、この画像の定着動作は未だ行われていない状態の用紙を搬送する。第３搬送部１９は、定着部１６から排出部２０に向けて延びている第３搬送路１９ａにおいて、定着部１６により画像の定着が行われた後の用紙を排出部２０に搬送する。
【００３０】
紙詰まり検知部Ｋ１〜Ｋ４は、第１〜第３搬送路１７ａ〜１９ａ上の用紙においてジャムが発生したことを検知するためのものであって、各種搬送路１７ａ〜１９ａ上に設けられている。具体的には、紙詰まり検知部Ｋ１，Ｋ２は、第１搬送路１７ａ上に設けられており、給紙カセット６から画像形成部１３に搬送される用紙においてジャムが発生した場合、これを検知する。紙詰まり検知部Ｋ３は、第２搬送路１８ａ上に設けられており、画像形成部１３から定着部１６に搬送される用紙においてジャムが発生した場合、これを検知する。紙詰まり検知部Ｋ４は、第３搬送路１９ａ上に設けられており、定着部１６から排出部２０に搬送される用紙においてジャムが発生した場合、これを検知する。
【００３１】
排出部２０は、第３搬送部１９により搬送されてきた用紙を、画像形成装置１の外部へ排出する。即ち、排出部２０からは、画像が形成及び定着された後の用紙が画像形成装置１の外部に出力される。
【００３２】
制御部２１は、ＣＰＵ及びメモリを含むマイクロコンピュータで構成されている。メモリは、ＲＡＭやＲＯＭ、不揮発性のフラッシュメモリ等を含み、ＣＰＵにより読み出されて実行される各種プログラムが格納されている他、印刷動作に用いられる画像データを格納することができる。尚、本実施形態に係る画像データは、その画像データに基づく画像が形成され定着された後の用紙が排出部２０から排出されるまで、メモリ内に格納されているとする。このような制御部２１は、図３に示すように、主として操作パネル４、通信部１１、原稿読み取り部１２，画像形成部１３、第１〜第３搬送部１７〜１９及び紙詰まり検知部Ｋ１〜Ｋ４と接続されており、各種機器の動作制御を行う。例えば、制御部２１は、第１〜第３搬送路１７ａ〜１９ａ上においてジャムが生じた場合、そのジャムをユーザに知らせるための画面を、タッチパネル４ｂに表示させる。特に、本実施形態に係る制御部２１は、第２搬送路１８ａにおいてジャムが生じた場合、ジャムの発生を示す第１情報Ｍ１１，Ｍ２１，Ｍ３１と共に、現在第２搬送路１８ａ上で詰まっている用紙に関する第２情報を、タッチパネル４ｂに表示させる。第２情報には、その用紙における印刷領域（即ち、用紙上に画像が形成されている領域）や印字量、第３情報Ｍ１３，Ｍ２３，Ｍ３３、及び第４情報Ｍ１４，Ｍ２４，Ｍ３４が含まれる（図４，図８及び図９）。第３情報Ｍ１３，Ｍ２３，Ｍ３３は、用紙の画像におけるトナーが、用紙を画像形成装置１から取り除くユーザに付着する可能性を示す情報であって、例えば、図４（ｂ）のＭ１３に示すように「トナーがユーザに付着する可能性“大”」等が挙げられる。第４情報Ｍ１４，Ｍ２４，Ｍ３４は、用紙を画像形成装置１から取り除く際の処理手段を示す情報であって、例えば、図４（ｂ）のＭ１４に示すように「ピンセットを用いて処理を行う」等が挙げられる。
【００３３】
以下より、第２搬送路１８ａにおいてジャムが生じた場合に、制御部２１が行うタッチパネル４ｂの表示制御例について、図４（ａ）（ｂ）を用いて具体的に説明する。制御部２１は、第２搬送路１８ａ上の紙詰まり検知部Ｋ３からジャムの発生の検知結果を取得すると、第２搬送路１８ａ上において詰まっている用紙の画像データをメモリ内から抽出し、印刷物プレビューＰ１１の画像情報を生成する。そして、制御部２１は、抽出した画像データから用紙上の印字領域を特定し、特定した印字領域に基づいてトナーの付着する可能性を示す第３情報Ｍ１３及び処理手段を示す第４情報１４を決定する。次いで、制御部２１は、ジャムが発生した旨を示す第１情報Ｍ１１，生成した印刷物プレビューＰ１１、特定した印字領域を示すメッセージＭ１２，決定した第３情報Ｍ１３及び第４情報Ｍ１４を表示させるための画面情報を、タッチパネル４ｂに出力する。これにより、タッチパネル４ｂ上には、図４（ａ）、図４（ｂ）に示す画面が表示される。尚、図４（ａ）の画面には、第１情報Ｍ１１、メッセージＭ１２、用紙のプレビューＰ１１の他に、次の画面表示ボタンＴ１１が表示されており、印刷物プレビューＰ１１には、印刷領域が図示されている。ユーザにより次の画面表示ボタンＴ１１が押されると、タッチパネル４ｂには、図４（ｂ）の画面が表示される。図４（ｂ）の画面には、印刷物プレビューＰ１１、第３情報Ｍ１３及び第４情報Ｍ１４の他に、用紙がスムーズに画像形成装置１から取り除かれるようにユーザの除去作業を誘導するための処理手順Ｍ１５が表示されている。このように、本実施形態では、第１情報Ｍ１１や印刷物プレビューＰ１１、メッセージＭ１２、第３情報Ｍ１３、第４情報Ｍ１４が、図４（ａ）及び図４（ｂ）の２つの画面に分かれて表示される場合を示している。尚、処理手順Ｍ１５については、ジャムが発生した箇所に基づいて、制御部２１により決定されるものとする。
【００３４】
尚、上述した第３情報Ｍ１３及び第４情報Ｍ１４の決定方法としては、例えば以下の方法が挙げられる。ここで、制御部２１のメモリには、用紙を複数の区画に分け、区画毎に固有の符号が付されているデータが格納されているとする（図５）。図５は、用紙の大きさを２０個の区画に区分したデータの概念図であって、各区画には、Ｒ１１，Ｒ１２，Ｒ１３，Ｒ１４，Ｒ２１・・・Ｒ５４の符号が１つずつ付されている。更に、制御部２１のメモリには、第３情報Ｍ１３及び第４情報Ｍ１４を決定するためのテーブルが格納されている（図６）。図６には、レコード番号、印字領域に該当する区画Ｒ１１〜Ｒ５４、第３情報Ｍ１３及び第４情報Ｍ１４が、それぞれ対応づけて記憶されている。このような制御部２１は、先ずは特定した印字領域が、図５における区画Ｒ１１〜Ｒ５４のうちどの区画に該当するかを判断する。次いで、制御部２１は、該当すると判断した区画Ｒ１１〜Ｒ５４を、図６のテーブルの“印字領域に該当する区画”に当てはめることで、その区画に対応する第３情報Ｍ１３及び第４情報Ｍ１４を決定する。例えば、図４（ａ）における印刷物プレビューＰ１１上の印刷領域は、図５の区画Ｒ２２〜Ｒ２４，Ｒ３２〜Ｒ３４に該当する。区画Ｒ２２〜Ｒ２４，Ｒ３２〜Ｒ３４のうち、区画Ｒ２４，Ｒ３４はレコード１に該当し、その他の区画Ｒ２２〜Ｒ２３，Ｒ３２〜Ｒ３３はレコード２，３に該当する。このように、図４（ａ）の印刷物プレビューＰ１１における印字領域は、３つのレコード１〜３に該当することになるが、２つの区画Ｒ２４，Ｒ３４がレコード１に該当しているため、制御部２１は、トナーがユーザに付着する可能性（即ち、第３情報Ｍ１３）を“大”、処理手段（即ち、第４情報Ｍ１４）を“ピンセット等を用いて処理を行う”と決定する。即ち、本実施形態では、区画が複数のレコードに該当する場合、第３情報Ｍ１３〜Ｍ３３及び第４情報Ｍ１４〜Ｍ３４は、上位のレコードを優先して決定されるものとする。
【００３５】
排紙トレイ７は、画像形成装置１の側面に側方に突出して設けられた板状部材であって、本体部５の排出部２０により排出された用紙が積載される。
【００３６】
（２）動作
以下に、本実施形態に係る画像形成装置１の一連の動作について、主に図７を用いて説明する。初めに、画像形成装置１は、通信部１１または原稿読み取り部１２から取得した画像データに基づいて、印刷動作を開始しているものとする。
【００３７】
ステップＳ１：紙詰まり検知部Ｋ１〜Ｋ４は、第１〜第３搬送路１７ａ〜１９ａにおいてジャムが発生した場合（Ｓ１のＹＥＳ）、これを検知する。
【００３８】
ステップＳ２〜Ｓ４：ステップＳ１において発生したジャムが、第１搬送路１７ａまたは第３搬送路１９ａ上で生じたものである場合には（Ｓ２のＮＯ）、タッチパネル４ｂには、ジャムが発生した旨を示す第１情報と、用紙を取り除く作業を誘導するための処理手順とが表示される（Ｓ３）。また、ステップＳ１において発生したジャムが、第２搬送路１８ａ上で生じたものである場合には（Ｓ２のＹＥＳ）、制御部２１は、第２搬送路１８ａ上で詰まっている用紙の画像データに基づいて、用紙上の印刷領域を特定する（Ｓ４）。
【００３９】
ステップＳ５〜Ｓ７：制御部２１は、ステップＳ４において特定した印刷領域が、図５における区画Ｒ１１〜Ｒ５４のうちどの区画に該当するかを判断する。判断した区画のうち、少なくとも１つの区画が図６のテーブルにおけるレコード１に該当する場合（Ｓ５のＹＥＳ）、制御部２１は、レコード１に基づいて、トナーがユーザに付着する可能性（即ち、第３情報Ｍ１３）を“大”、処理手段（即ち、第４情報Ｍ１４）を“ピンセット等を用いて処理を行う”に決定する（Ｓ６）。そして、タッチパネル４ｂは、図４（ａ）に示すように、ジャムが発生した旨を示す第１情報Ｍ１１、ステップＳ４で特定された印刷領域を示すメッセージＭ１２，印刷物プレビューＰ１１、及び次の画面表示ボタンＴ１１を含む画面を表示する。ユーザにより次の画面表示ボタンＴ１１が押された後、タッチパネル４ｂは、図４（ｂ）に示すように、前画面と同じ印刷物プレビューＰ１１、ステップＳ６で決定された第３情報Ｍ１３及び第４情報Ｍ１４、処理手順Ｍ１５を表示する（Ｓ７）。
【００４０】
ステップＳ８〜Ｓ１０：用紙上の印刷領域に該当する区画のうち、レコード１に該当する区画がなく（Ｓ５のＮＯ）、かつレコード２に該当する区画が少なくとも１つある場合には（Ｓ８のＹＥＳ）、制御部２１は、レコード２に基づいて、トナーがユーザに付着する可能性（即ち、第３情報Ｍ２３）を“中”、処理手段（即ち、第４情報Ｍ２４）を“手で処理を行っても良いが、ピンセットと等を用いて行う方が良い”に決定する（Ｓ９）。そして、タッチパネル４ｂは、図８（ａ）に示すように、ジャムが発生した旨を示す第１情報Ｍ２１、ステップＳ４で特定された印刷領域を示すメッセージＭ２２，印刷物プレビューＰ２１、及び次の画面表示ボタンＴ２１を含む画面を表示する。ユーザにより次の画面表示ボタンＴ２１が押された後、タッチパネル４ｂは、図８（ｂ）に示すように、前画面と同じ印刷物プレビューＰ２１、ステップＳ９で決定された第３情報Ｍ２３及び第４情報Ｍ２４、処理手順Ｍ２５を表示する（Ｓ１０）。
【００４１】
ステップＳ１１〜Ｓ１２：用紙上の印刷領域に該当する区画全てが、レコード３に該当する場合（Ｓ８のＮＯ）、制御部２１は、レコード３に基づいて、トナーがユーザに付着する可能性（即ち、第３情報Ｍ３３）を“小”、処理手段（即ち、第４情報Ｍ３４）を“手で処理を行う”に決定する（Ｓ１１）。そして、タッチパネル４ｂは、図９（ａ）に示すように、ジャムが発生した旨を示す第１情報Ｍ３１、ステップＳ４で特定された印刷領域を示すメッセージＭ３２，印刷物プレビューＰ３１、及び次の画面表示ボタンＴ３１を含む画面を表示する。ユーザにより次の画面表示ボタンＴ３１が押された後、タッチパネル４ｂは、図９（ｂ）に示すように、前画面と同じ印刷物プレビューＰ３１、ステップＳ１１で決定された第３情報Ｍ３３及び第４情報Ｍ３４、処理手順Ｍ３５を表示する（Ｓ１２）。
【００４２】
ステップＳ１３〜Ｓ１４：詰まった用紙が取り除かれてジャムが解消し（Ｓ１３のＹＥＳ）、かつ印刷が終了した場合には（Ｓ１４のＹＥＳ）、画像形成装置１は、一連の動作を終了する。ステップＳ１において生じたジャムは解消したが、印刷が未だ終了していない場合には（Ｓ１４のＮＯ）、画像形成装置１は、ステップＳ１以降の動作を繰り返す。
【００４３】
（３）効果
（Ａ）
本実施形態に係る画像形成装置１によると、画像形成部１３から定着部１６に向けて延びる第２搬送路１８ａ上の用紙においてジャムが発生した場合、タッチパネル４ｂには、ジャムの発生を示す第１情報Ｍ１１〜Ｍ３１と共に、用紙に関する第２情報が表示される。ここで、タッチパネル４ｂが表示する第２情報としては、例えば用紙上の印字領域（即ち、用紙上に画像が形成されている領域）や、用紙上の画像のトナーがユーザの手や衣服等に付着する可能性等が挙げられる。これにより、ユーザは、例えば用紙上の印字領域等の第２情報に基づいて接触すべき用紙の位置を判断し、詰まった用紙を画像形成装置１から取り除くことができる。従って、詰まった用紙を画像形成装置１から取り除く際に、ユーザの手や衣服が定着前の画像に接触し、画像中のトナーで手や衣服が汚れてしまうことを防ぐことができる。
【００４４】
（Ｂ）
用紙上の印刷領域や印字量は、印刷される個々の用紙によって異なっている。そこで、本実施形態に係る画像形成装置１は、定着前の用紙においてジャムが発生した場合、第２情報として用紙上の印字領域や印字量をタッチパネル４ｂに表示する。これにより、ユーザは、用紙を画像形成装置１から取り除く際に、用紙のどのあたりに接触すると手や衣服が汚れてしまうかを、具体的に判断することができる。
【００４５】
（Ｃ）
また、タッチパネル４ｂに表示される第２情報には、用紙を画像形成装置１から取り除くユーザにトナーが付着する可能性を示す第３情報Ｍ１３〜Ｍ３３が含まれている。これにより、ユーザは、第３情報Ｍ１３〜Ｍ３３に基づいて、用紙を画像形成装置１から取り除く作業時にユーザの手や衣服等がトナーで汚れてしまう可能性がある旨を知ることができる。従って、ユーザは、用紙を画像形成装置１から取り除く際、注意して作業を行うことができる。
【００４６】
（Ｄ）
ここで、第３情報Ｍ１３〜Ｍ３３は、用紙上の印字領域に基づいて決定される。そのため、用紙の印字領域に応じて第３情報Ｍ１３〜Ｍ３３（即ち、用紙を画像形成装置１から取り除く作業の際にトナーがユーザに付着する可能性）が変化する。従って、ユーザは、用紙を画像形成装置１から取り除く際、タッチパネル４ｂに表示された第２情報中の第３情報Ｍ１３〜Ｍ３３に基づいて、より注意して作業を行うことができる。
【００４７】
（Ｅ）
また、第２情報には、用紙を画像形成装置１から取り除く際の処理手段を示す第４情報Ｍ１４〜Ｍ３４が含まれている。具体的に、第４情報Ｍ１４〜Ｍ３４としては、例えば「ピンセット等を用いて用紙を取り除いて下さい」等の、用紙を画像形成装置１から取り除く際の具体的な手段が挙げられる。これにより、画像形成装置１のユーザは、タッチパネル４ｂに表示された第４情報Ｍ１４〜Ｍ３４にしたがって用紙を画像形成装置１から取り除く作業を行うことができ、ユーザの手や衣服等にトナーが付着することを防ぐことができる。
【００４８】
（Ｆ）
ここで、第４情報Ｍ１４〜Ｍ３４は、用紙上の印字領域に基づいて決定されている。そのため、用紙の印字領域に応じて第４情報Ｍ１４〜Ｍ３４（即ち、用紙を画像形成装置１から取り除く際の処理手段）が変化する。従って、ユーザは、タッチパネル４ｂに表示された第２情報中の第４情報Ｍ１４〜Ｍ３４にしたがって用紙を画像形成装置１から取り除くことで、手や衣服等にトナーが付着することをより防ぐことができる。
【００４９】
＜その他の実施形態＞
（ａ）
上記実施形態では、図４（ａ）（ｂ），図８（ａ）（ｂ）及び図９（ａ）（ｂ）に示すように、第１情報Ｍ１１〜Ｍ３１や印字領域を示すメッセージＭ１２〜Ｍ３２，トナーの付着する可能性を示す第３情報Ｍ１３〜Ｍ３３，及び処理手段を示す第４情報Ｍ１４〜Ｍ３４が、タッチパネル４ｂに表示される場合について説明した。しかし、これらの各情報は、ユーザに報知されればよく、タッチパネル４ｂに表示されずともよい。これらの各情報をユーザに報知するその他の方法としては、音声により出力する方法や、タッチパネル４ｂへの表示と音声による出力との組み合わせなどが挙げられる。
【００５０】
（ｂ）
上記実施形態では、第１情報Ｍ１１〜Ｍ３１と、第３情報Ｍ１３〜Ｍ３３及び第４情報Ｍ１４〜Ｍ３４とが、別々の画面に表示される場合について説明した。しかし、これら情報は、別々に表示されるのではなく、一つの画面上に表示されてもよい。
【００５１】
（ｃ）
上記実施形態では、制御部２１が、用紙上の印刷領域から第３情報Ｍ１３〜Ｍ３３及び第４情報Ｍ１４〜Ｍ３４を判断する際には、図５及び図６が用いられる場合を例に取り説明した。しかし、この方法に限定されず、印刷領域から第３情報Ｍ１３〜Ｍ３３及び第４情報Ｍ１４〜Ｍ３４が判断できる方法であれば、どのような方法が用いられても良い。
【００５２】
また、上記実施形態では、制御部２１が、印字領域に基づいて第３情報Ｍ１３〜Ｍ３３及び第４情報Ｍ１４〜Ｍ３４を判断する場合について説明した。しかし、制御部２１は、更に印字量に基づいて第３情報Ｍ１３〜Ｍ３３及び第４情報Ｍ１４〜Ｍ３４を判断してもよい。また、制御部２１は、印字領域と印字量との両方に基づいて第３情報Ｍ１３〜Ｍ３３及び第４情報Ｍ１４〜Ｍ３４を判断してもよい。
【００５３】
（ｄ）
上記実施形態では、図６に示すように、第３情報Ｍ１３〜Ｍ３３、即ちトナーがユーザに付着する可能性が、“大”“中”“小”の３段階に分けてタッチパネル４ｂに表示される場合について説明した。しかし、トナーがユーザに付着する可能性の表示方法は、これに限定されない。その他の表示方法としては、例えばパーセント表示が挙げられる。
【産業上の利用可能性】
【００５４】
本発明の画像形成装置は、詰まった被記録体を画像形成装置から取り除く際に、ユーザの手や衣服が定着前の画像に接触し、画像中のトナーで手や衣服が汚れてしまうことを防ぐことができるという効果を有する。従って、本発明の画像形成装置は、複写機、プリンタ及びファクシミリ装置の各機種や、これらの機能及びスキャナ機能を併せ持つ複合機に適用することができる。
【図面の簡単な説明】
【００５５】
【図１】本実施形態に係る画像形成装置の概略断面図。
【図２】操作パネルの構成図。
【図３】本実施形態に係る画像形成装置の構成を模式的に示すブロック図。
【図４】（ａ）第２搬送路においてジャムが生じた場合に、タッチパネルに表示される第１画面例であって、トナーがユーザに付着する可能性が大である場合を示す画面例。
【００５６】
（ｂ）上記第１画面例において、次の画面表示ボタンが押された場合に、タッチパネルに表示される第２画面例。
【図５】第３情報及び第４情報が決定される時に用いられるデータであって、用紙の大きさを複数の区画に分けたデータの概念図。
【図６】第３情報及び第４情報を決定する際に用いられるテーブル。
【図７】本実施形態に係る画像形成装置の一連の動作を示すフロー図。
【図８】（ａ）第２搬送部においてジャムが生じた場合に、タッチパネルに表示される第１画面例であって、トナーがユーザに付着する可能性が中である場合を示す画面例。
【００５７】
（ｂ）上記第１画面例において、次の画面表示ボタンが押された場合に、タッチパネルに表示される第２画面例。
【図９】（ａ）第２搬送部においてジャムが生じた場合に、タッチパネルに表示される第１画面例であって、トナーがユーザに付着する可能性が小である場合を示す画面例。
【００５８】
（ｂ）上記第１画面例において、次の画面表示ボタンが押された場合に、タッチパネルに表示される第２画面例。
【符号の説明】
【００５９】
１  画像形成装置
４  操作パネル
４ａ  操作キー
４ｂ  タッチパネル
１３  画像形成部
１６  定着部
１７  第１搬送部
１７ａ  第１搬送路
１８  第２搬送部
１８ａ  第２搬送路
１９  第３搬送部
１９ａ  第３搬送路
２１  制御部
Ｋ１〜Ｋ４  紙詰まりセンサ
Ｒ１１〜Ｒ５４  区画
Ｍ１１，Ｍ２１，Ｍ３１  第１情報
Ｍ１２，Ｍ２２，Ｍ３２  メッセージ
Ｐ１１，Ｐ２１，Ｐ３１  印刷物プレビュー
Ｍ１３，Ｍ２３，Ｍ３３  第３情報
Ｍ１４，Ｍ２４，Ｍ３４  第４情報
Ｍ１５，Ｍ２５，Ｍ３５  処理手順
Ｔ１１，Ｔ２１，Ｔ３１  次の画面表示ボタン
【図１】
2009109632.tif 000003
【図２】
2009109632.tif 000004
【図３】
2009109632.tif 000005
【図４】
2009109632.tif 000006
【図５】
2009109632.tif 000007
【図６】
2009109632.tif 000008
【図７】
2009109632.tif 000009
【図８】
2009109632.tif 000010
【図９】
2009109632.tif 000011